(57)【要約】【課題】バッテリーの取り外しが容易であり、大きなスペースを必要とせず、また新規の部品を追加する必要なく低コストで製造可能である携帯端末装置を提供する。【解決手段】バッテリー収容部と、この収容部の４隅部に設けられた係止突起と、収容部の一側面に設けられバッテリーを一側面から離反する方向に押圧するバネと、収容部の一側縁部に設けられバネと共動するバッテリーカバーロックと、収容部を覆うバッテリーカバーと、を有し、バッテリーはその４隅部に係止凹部を有し、バネがバッテリーを押圧した状態で、バッテリーの係止凹部を収容部の係止突起が係止し、バッテリーカバーロックはバッテリーカバーに設けた孔内に嵌合された状態でバッテリーカバーを係止し、バッテリーカバーロックを押圧することによりバッテリーカバーの係止が外れると共にそれに連動してバネがバッテリーの押圧を解除する。【選択図】図１
2007299552.tif 000002
【特許請求の範囲】
【請求項１】
バッテリーを収容する収容部と、この収容部の４隅部に設けられた係止突起と、前記収容部の一側面に設けられ前記収容部に収容されたバッテリーを前記一側面から離反する方向に押圧する弾性部材と、前記収容部の一側縁部に設けられ前記弾性部材と共動するバッテリーカバーロックと、前記収容部を覆うバッテリーカバーと、を有し、前記バッテリーはその４隅部に係止凹部を有し、前記バッテリーが前記収容部に収容され前記弾性部材が前記バッテリーを前記一側面から離反する方向に押圧した状態で、前記バッテリーの係止凹部を前記収容部の係止突起が係止し、前記バッテリーカバーロックは前記バッテリーカバーに設けた孔内に嵌合された状態で前記バッテリーカバーを係止し、前記バッテリーカバーロックを押圧することにより前記バッテリーカバーの係止が外れると共にそれに連動して前記弾性部材が前記バッテリーの押圧を解除することを特徴とする携帯端末装置の筐体。
【請求項２】
前記弾性部材が設けられた基部側の１対の前記係止突起は、前記弾性部材から遠い方の先端側の１対の前記係止突起よりも、前記基部側から前記先端側に向かう方向の長さが長いことを特徴とする請求項１に記載の携帯端末装置の筐体。
【請求項３】
４隅部に係止凹部が設けられたバッテリーと、このバッテリーを収容する収容部と、この収容部の４隅部に設けられ前記係止凹部に係合可能の係止突起と、前記収容部の一側面に設けられ前記収容部に収容されたバッテリーを前記一側面から離反する方向に押圧する弾性部材と、前記収容部の一側縁部に設けられ前記弾性部材と共動するバッテリーカバーロックと、前記収容部を覆うバッテリーカバーと、を有し、前記バッテリーが前記収容部に収容され前記弾性部材が前記バッテリーを前記一側面から離反する方向に押圧した状態で、前記バッテリーの係止凹部を前記収容部の係止突起が係止し、前記バッテリーカバーロックは前記バッテリーカバーに設けた孔内に嵌合された状態で前記バッテリーカバーを係止し、前記バッテリーカバーロックを押圧することにより前記バッテリーカバーの係止が外れると共にそれに連動して前記弾性部材が前記バッテリーの押圧を解除することを特徴とする携帯端末装置。
【請求項４】
前記弾性部材が設けられた基部側の１対の前記係止突起は、前記弾性部材から遠い方の先端側の１対の前記係止突起よりも、前記基部側から前記先端側に向かう方向の長さが長いことを特徴とする請求項３に記載の携帯端末装置。
【発明の詳細な説明】
【技術分野】
【０００１】
本発明は、バッテリーの保持を確実に行い、且つバッテリーの脱着性を損なわない携帯端末装置及びその筐体に関する。
【背景技術】
【０００２】
現在、携帯端末装置はその利便性により老若男女を問わず幅広い世代の人に普及しており、生活に欠かすことができなくなっている。それに伴いファッションの一部となりつつあり、端末の小型化及びデザインの多様化等が求められている。
【０００３】
携帯端末装置の小型化に伴い、携帯端末装置に備わるバッテリー保持装置の簡素化が求められているが、バッテリー保持装置が簡素化するにつれ、落下等によって外部から衝撃が加わった際にバッテリーが外れ易くなり、バッテリーと電源端子との接触が不完全なために発生する電源断になり易い。また、電源断を防ぐためにはバッテリーと筐体との嵌合を強くする必要があるが、その場合はバッテリーが取り外し難くなる。現在、バッテリー下にＳＩＭ（Subscriber Identify Module：加入者識別モジュール）カードを装着する端末が多くあり、このＳＩＭカードを替えることにより世界中で携帯端末装置が使用できる状況において、バッテリーの着脱性は非常に重要な課題である。
【０００４】
図７（ａ）は従来の携帯端末装置を示す模式的上面図、図７（ｂ）は（ａ）におけるＡ−Ａ線断面図である。図７に示すように、従来技術の携帯端末装置は、筐体４０にフック４１等を設けることによってバッテリー５０を保持している（例えば特許文献１）。
【０００５】
また、特許文献２に開示されている技術は、バッテリーをバッテリーケースに収納し、このバッテリーケースを、上述の携帯端末装置と同様に筐体にフック等を設けることによって保持するというものである。
【０００６】
【特許文献１】特開平８−２５００８９号公報
【特許文献２】特開平１０−１６２７９６号公報
【発明の開示】
【発明が解決しようとする課題】
【０００７】
しかしながら、上述のバッテリー保持装置の構造ではフックとバッテリー又はバッテリーケースとの嵌合量の調整が難しく、且つバッテリー又はバッテリーケースの着脱性が良くないという問題点がある。
【０００８】
本発明はかかる問題点に鑑みてなされたものであって、バッテリーの取り外しが容易であり、大きなスペースを必要とせず、また新規の部品を追加する必要なく低コストで製造可能である携帯端末装置及びその筐体を提供することを目的とする。
【課題を解決するための手段】
【０００９】
本発明に係る携帯端末装置の筐体は、バッテリーを収容する収容部と、この収容部の４隅部に設けられた係止突起と、前記収容部の一側面に設けられ前記収容部に収容されたバッテリーを前記一側面から離反する方向に押圧する弾性部材と、前記収容部の一側縁部に設けられ前記弾性部材と共動するバッテリーカバーロックと、前記収容部を覆うバッテリーカバーと、を有し、前記バッテリーはその４隅部に係止凹部を有し、前記バッテリーが前記収容部に収容され前記弾性部材が前記バッテリーを前記一側面から離反する方向に押圧した状態で、前記バッテリーの係止凹部を前記収容部の係止突起が係止し、前記バッテリーカバーロックは前記バッテリーカバーに設けた孔内に嵌合された状態で前記バッテリーカバーを係止し、前記バッテリーカバーロックを押圧することにより前記バッテリーカバーの係止が外れると共にそれに連動して前記弾性部材が前記バッテリーの押圧を解除することを特徴とする。
【００１０】
バッテリーカバーを係止するための弾性部材をバッテリーの係止に対しても利用できるようにしたことにより、大きなスペースを必要とせず、また新規の部品を追加する必要なく低コストでこの携帯端末装置の筐体を作成することができる。
【００１１】
前記弾性部材が設けられた基部側の１対の前記係止突起は、前記弾性部材から遠い方の先端側の１対の前記係止突起よりも、前記基部側から前記先端側に向かう方向の長さが長いことが好ましい。これにより、バッテリーに対し弾性部材による押圧が解除されたときにバッテリーを容易に取り外すことができる。
【００１２】
本発明に係る携帯端末装置は、４隅部に係止凹部が設けられたバッテリーと、このバッテリーを収容する収容部と、この収容部の４隅部に設けられ前記係止凹部に係合可能の係止突起と、前記収容部の一側面に設けられ前記収容部に収容されたバッテリーを前記一側面から離反する方向に押圧する弾性部材と、前記収容部の一側縁部に設けられ前記弾性部材と共動するバッテリーカバーロックと、前記収容部を覆うバッテリーカバーと、を有し、前記バッテリーが前記収容部に収容され前記弾性部材が前記バッテリーを前記一側面から離反する方向に押圧した状態で、前記バッテリーの係止凹部を前記収容部の係止突起が係止し、前記バッテリーカバーロックは前記バッテリーカバーに設けた孔内に嵌合された状態で前記バッテリーカバーを係止し、前記バッテリーカバーロックを押圧することにより前記バッテリーカバーの係止が外れると共にそれに連動して前記弾性部材が前記バッテリーの押圧を解除することを特徴とする。
【００１３】
前記弾性部材が設けられた基部側の１対の前記係止突起は、前記弾性部材から遠い方の先端側の１対の前記係止突起よりも、前記基部側から前記先端側に向かう方向の長さが長いことが好ましい。
【発明の効果】
【００１４】
本発明によれば、バッテリーカバーロックを押圧することにより弾性部材のバッテリーの押圧を解除することができるため、バッテリーの取り外しが容易である。また、バッテリーカバーを係止するための弾性部材をバッテリーの係止に対しても利用できるようにしたことにより、大きなスペースを必要とせず、また新規の部品を追加する必要なく低コストでこの携帯端末装置の筐体を作成することができる。
【発明を実施するための最良の形態】
【００１５】
次に、本発明の実施形態について、添付の図面を参照して具体的に説明する。図１は本発明の第１実施形態に係る携帯端末装置の構成を示す模式的斜視図、図２は筐体１０の表面に設けられたバッテリー収容部１５にバッテリー２０を装着した状態を示す模式的斜視図、図３（ａ）はバッテリーカバーロック１４の構造を示す模式的上面図、図３（ｂ）はバッテリーカバーロック１４に装着されているバネ１２の（ａ）におけるＡ−Ａ線断面図、図３（ｃ）は（ａ）におけるＢ−Ｂ線断面図、図４（ａ）は本実施形態に係る携帯端末装置において、筐体１０がバッテリー２０を装着した状態を示す模式的上面図、図４（ｂ）は（ａ）におけるＡ−Ａ線断面図、図４（ｃ）は（ａ）におけるＢ−Ｂ線断面図、図５（ａ）は本実施形態に係る携帯端末装置において、バッテリー２０を脱着するときの状態を示す模式的上面図、図５（ｂ）は（ａ）におけるＡ−Ａ線断面図、図５（ｃ）は（ａ）におけるＢ−Ｂ線断面図である。
【００１６】
本発明の第１実施形態に係る携帯端末装置は、図１に示すように、筐体１０にバッテリー２０を収容する収容部１５として矩形状の凹部が設けられている。このバッテリー収容部１５の４隅部には、バッテリー２０を係止するための係止突起として突起部１１ａ乃至１１ｄが設けられている。また、図２及び図４に示すように、バッテリー収容部１５の一側面にはバッテリー収容部１５に収容されたバッテリー２０をこの一側面から離反する方向に押圧する弾性部材としてのバネ１２が設けられている。バネ１２が設けられた基部側の１対の突起部１１ｃ及び１１ｄは、バネ１２から遠い方の先端側の１対の突起部１１ａ及び１１ｂよりも基部側から先端側に向かう方向の長さが長く形成されている。また、図１に示すように、バッテリー２０の４隅部には、係止凹部として凹部２１ａ乃至２１ｄが形成されている。
【００１７】
通常使用時は、図２及び４に示すようにバッテリー収容部１５内に収容されたバッテリー２０は常にバネ１２によってバネ１２が設けられた一側面から離反する方向に押圧されており、この状態でバッテリー２０の４隅部に形成された凹部２１ａ乃至２１ｄがバッテリー収容部１５の４隅部に形成された突起部１１ａ乃至１１ｄとの間に嵌合され、バッテリー２０の底面全面がバッテリー収容部１５の底面全面に重ねられた状態で固定されている。このとき、バッテリー収容部１５の底面に設けられたバッテリー端子１３にバッテリー２０が接触することによって筐体１０に電源が供給される。これにより、落下時等に外部からの衝撃を受けてもバッテリー２０とバッテリー端子１３とが離れることがなく、瞬断が発生する虞が少ない。
【００１８】
また、バッテリー収容部１５の一側縁部には図３に示すように下部に突起１６を有するバッテリーカバーロック１４が設けられ、図５に示すように、このバッテリーカバーロック１４が押下されると、突起１６がバネ１２に接触し、バネ１２を変形させ、これによりバネ１２がバッテリー収容部１５に収容されたバッテリー２０をバネ１２が設けられた一側面から離反する方向に押圧する力が解除される。このように、バネ１２とバッテリーカバーロック１４とが共動するように設けられている。
【００１９】
バッテリーカバー３０は孔を有し、通常使用時は、この孔内にバッテリーカバーロック１４が嵌合された状態で、バッテリー収容部１５の上からこの収容部を覆うように筐体１０に固定されている。
【００２０】
次に、上述の如く構成された本実施形態に係る携帯端末装置の動作について説明する。図２に示すように筐体１０のバッテリー収容部１５にバッテリー２０を収容するとき、携帯端末装置の使用者はバッテリー２０の一側面によってバネ１２を基部側の側面に押し付ける。このときバッテリー２０はバッテリー収容部１５の底面と突起部１１ｃ及び１１ｄとの間に挿入される。この状態で携帯端末装置の使用者がバッテリー２０の一側面によってバネ１２を基部側の側面に押し付ける力を解除すると、図４に示すように、バッテリー２０はバネ１２によってバネ１２が設けられた一側面から離反する方向に押圧される。これにより、バッテリー２０の先端側の凹部２１ａ及び２１ｂが筐体１０の先端側の突起部１１ａ及び１１ｂに嵌合される。これにより、バッテリー２０の４隅部に形成された凹部２１ａ乃至２１ｄがバッテリー収容部１５の４隅部に形成された突起部１１ａ乃至１１ｄとの間に嵌合され、バッテリー２０の底面全面がバッテリー収容部１５の底面全面に重ねられた状態で固定される。
【００２１】
筐体１０にバッテリーカバー３０を装着する際は、バッテリーカバー３０の裏面等でバッテリーカバーロック１４を押下し、この状態で筐体１０に設けられたフック部にバッテリーカバー３０に設けられた爪部を嵌合させる。すると、バッテリーカバーロック１４の押下が解除され、バネ１２によりバッテリーカバーロック１４が押し戻される。これによりバッテリーカバー３０に設けられた孔内にバッテリーカバーロック１４が嵌合され、バッテリーカバー３０が筐体１０に固定され、これにより筐体１０にバッテリーカバー３０を装着することができる。
【００２２】
また、筐体１０からバッテリーカバー３０を脱着する際は、バッテリーカバーロック１４を押下する。そして、バッテリーカバー３０を筐体１０の先端側から基部側に移動させ、筐体１０に設けられたフック部とバッテリーカバー３０に設けられた爪部との嵌合を解除する。これにより、筐体１０からバッテリーカバー３０を取り外す。また、バッテリーカバーロック１４は下部に突起１６を有しているため、バッテリーカバーロック１４を押下すると、図５に示すように、突起１６がバネ１２に接触し、図５（ｂ）及び（ｃ）に示すようにバネ１２が変形することで、バネ１２がバッテリー収容部１５に収容されたバッテリー２０をバネ１２が設けられた一側面から離反する方向に押圧する力が解除される。このとき、筐体１０の先端側の突起部１１ａ及び１１ｂが基部側の突起部１１ｃ及びｄよりも短く形成されていることにより、バッテリー２０に設けられた先端側の凹部２１ａ及び２１ｂと筐体１０の先端側の突起部１１ａ及び１１ｂとの嵌合状態が解除され、筐体１０の基部側の突起部１１ｃ及び１１ｄはバッテリー２０の基部側の凹部２１ｃ及び２１ｄを係止している状態であるため、容易にバッテリー２０を取り外すことができる。これにより、バッテリーカバー３０とバッテリー２０の脱着を同時に行うことができる。
【００２３】
通常、筐体１０にバッテリーカバー３０を固定するためのバッテリーカバーロック１４には金属製のバネが取り付けられている。本実施形態は、この金属製のバネを筐体１０のバッテリー収容部１５の一側面から露出させ、バッテリー収容部１５に収容されたバッテリー２０をこの一側面から離反する方向に押圧させることでバッテリー２０の固定に対しても利用できるようにしたことにより、大きなスペースを必要とせず、また新規の部品を追加する必要なく低コストでこの携帯端末装置の筐体を作成することができる。
【００２４】
次に、本発明の第２実施形態について説明する。本実施形態においてはバッテリーカバーロック１４が備えられていない携帯端末装置について説明する。上述の第１実施形態においてはバッテリーカバーロック１４のバネ１２をバッテリー２０の固定に利用していたのに対し、本実施形態においてはバッテリーカバーロック１４の代わりにボタンが設けられ、筐体１０に設けられたバッテリー収容部１５の一側面に設けられたバネ１２が、バッテリー収容部１５の一側縁部に設けられたボタンと共働するように設けられている点が異なり、それ以外は第１実施形態と同様の構造を有している。
【００２５】
本実施形態に係る携帯端末装置において、ボタンは筐体１０にバッテリーカバー３０を係止する機能を有していない点以外はバッテリーカバーロック１４と同様の構造を有している。即ち、ボタンはバッテリーカバーロック１４と同様に突起１６を有し、突起１６はボタン押下時にバネ１２に接触し、バネ１２を変形させる。
【００２６】
本実施形態においても、上述の第１実施形態と同様に、バッテリー収容部１５に収容されたバッテリー２０が常にバネ１２によってバネ１２が設けられた一側面から離反する方向に押圧され、この状態でバッテリー２０の４隅部に形成された凹部２１ａ乃至２１ｄがバッテリー収容部１５の４隅部に形成された突起部１１ａ乃至１１ｄとの間に嵌合され、バッテリー２０の底面全面がバッテリー収容部１５の底面全面に重ねられた状態で固定されるため、バッテリー２０が確実に筐体１０のバッテリー収容部１５に保持され、落下時等に外部からの衝撃を受けてもバッテリー２０とバッテリー端子１３とが離れることがなく、瞬断が発生する虞が少ない。また、バッテリー２０を脱着するときは、ボタンを押下することによって、突起１６がバネ１２に接触し、図５（ｂ）及び（ｃ）に示すようにバネ１２が変形することで、バネ１２がバッテリー収容部１５に収容されたバッテリー２０をバネ１２が設けられた一側面から離反する方向に押圧する力が解除される。これにより、上述の第１実施形態と同様に、容易にバッテリー２０を取り外すことができる。
【００２７】
次に、本発明の第３実施形態について説明する。図６（ａ）は本実施形態に係る携帯端末装置において、バッテリー２０を装着した状態を示す模式的上面図、図６（ｂ）は（ａ）におけるＡ−Ａ線断面図、図６（ｃ）は（ａ）におけるＢ−Ｂ線断面図である。図６において、図１乃至５と同一構成物には同一符号を付して、その詳細な説明は省略する。本実施形態においては、上述の第２実施形態に対し、バッテリー２０を押圧する機能を有するバネ１２を２つ設けている点において異なり、その他は第２実施形態と同様の構成を有している。筐体１０のバッテリー収容部１５の一側面の２箇所にバネ１２ａ及び１２ｂが形成され、更にバッテリーカバーロック１４の代わりにボタン１７が設けられている。そして、このボタン１７を押すことによってバネ１２ａ及び１２ｂが変形し、バネ１２ａ及び１２ｂがバッテリー２０をバネ１２ａ及び１２ｂが設けられた一側面から離反する方向に押圧する力が解除される。これにより、上述の第１実施形態と同様に、容易にバッテリー２０を取り外すことができる。
【００２８】
本実施形態は、上述の第２実施形態に係る携帯端末装置の動作及び効果に加え、バッテリー２０を係止するバネを２箇所に設けていることにより、より安定してバッテリー２０を保持する効果を得ることができる。
【図面の簡単な説明】
【００２９】
【図１】本発明の第１実施形態に係る携帯端末装置の構成を示す模式的斜視図である。
【図２】筐体１０の表面に設けられたバッテリー収容部１５にバッテリー２０を装着した状態を示す模式的斜視図である。
【図３】（ａ）はバッテリーカバーロック１４の構造を示す模式的上面図、（ｂ）はバッテリーカバーロック１４に装着されているバネ１２の（ａ）におけるＡ−Ａ線断面図、（ｃ）は（ａ）におけるＢ−Ｂ線断面図である。
【図４】（ａ）は本発明の第１実施形態に係る携帯端末装置において、バッテリー２０を装着した状態を示す模式的上面図、（ｂ）は（ａ）におけるＡ−Ａ線断面図、（ｃ）は（ａ）におけるＢ−Ｂ線断面図である。
【図５】（ａ）は本発明の第１実施形態に係る携帯端末装置において、バッテリー２０を脱着するときの状態を示す模式的上面図、（ｂ）は（ａ）におけるＡ−Ａ線断面図、（ｃ）は（ａ）におけるＢ−Ｂ線断面図である。
【図６】（ａ）は本発明の第３実施形態に係る携帯端末装置において、バッテリー２０を装着した状態を示す模式的上面図、（ｂ）は（ａ）におけるＡ−Ａ線断面図、（ｃ）は（ａ）におけるＢ−Ｂ線断面図である。
【図７】（ａ）は従来の携帯端末装置の構造を示す模式的上面図、（ｂ）は（ａ）におけるＡ−Ａ線断面図である。
【符号の説明】
【００３０】
１０  ；  筐体
１１ａ、１１ｂ、１１ｃ、１１ｄ  ；  突起部
１２、１２ａ、１２ｂ  ；  バネ
１３  ；  バッテリー端子
１４  ；  バッテリーカバーロック
１５  ；  バッテリー収容部
１６  ；  突起
１７  ；  ボタン
２０  ；  バッテリー
２１ａ、２１ｂ、２１ｃ、２１ｄ  ；  凹部
３０  ；  バッテリーカバー
４０  ；  筐体
４１  ；  フック
５０  ；  バッテリー
【図１】
2007299552.tif 000003
【図２】
2007299552.tif 000004
【図３】
2007299552.tif 000005
【図４】
2007299552.tif 000006
【図５】
2007299552.tif 000007
【図６】
2007299552.tif 000008
【図７】
2007299552.tif 000009